【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
物品を電子レンジ内で加熱する際に使用するためのサセプタアセンブリであって：
幾何学的中心を有する略平坦なサセプタであって、電気的損失層を含む平坦なサセプタ；および
前記サセプタに各々が機械的に接合された複数枚の羽根を有し、各羽根の少なくとも一部分が導電性であり、前記羽根の前記導電性部分が前記平坦なサセプタの電気的損失層から少なくとも既定の近接距離において配設されている電界ダイレクタ構造、
を含み、
各羽根の前記導電性部分が第１の端部および第２の端部を含み、前記羽根の各々の前記導電性部分の第１の端部が、前記平坦なサセプタの幾何学的中心から少なくとも既定の離間距離の距離において配設されており、
これにより、前記サセプタアセンブリが未装填の電子レンジ中で用いられた場合の、前記サセプタの過熱の発生および前記電界ダイレクタ構造の過熱の発生が防止される、
ことを特徴とするサセプタアセンブリ。
【請求項２】
電子レンジにおいて使用するためのサセプタアセンブリであって、前記電子レンジが既定の波長を有する定常電磁波を発生するよう作動し、前記サセプタアセンブリが：
幾何学的中心を有する略平坦なサセプタであって、電気的損失層を含む平坦なサセプタ；
前記サセプタに各々が機械的に接合された少なくとも６枚の羽根を有し、各羽根が、前記平坦なサセプタに対して実質的に直交している電界ダイレクタ構造、
を含み、
各羽根の少なくとも一部分が導電性であり、各羽根の前記導電性部分が第１の端部および第２の端部を有し、
前記羽根の各々の前記導電性部分の第１の端部が、前記平坦なサセプタの幾何学的中心から少なくとも既定の離間距離の距離において配設されており、
前記離間距離が、前記平坦なサセプタの幾何学的中心から前記波長の少なくとも０．１６倍であり、
前記羽根の前記導電性部分が、前記平坦なサセプタの電気的損失層から少なくとも既定の近接距離において配設されており、前記既定の近接距離が前記波長の少なくとも０．０２５倍であり、
これにより、未装填の電子レンジ中で用いられる場合の、前記サセプタの過熱の発生および前記電界ダイレクタ構造の過熱の発生が防止される、
ことを特徴とするサセプタアセンブリ。
【請求項３】
物品を電子レンジ内で加熱する際に使用するためのサセプタアセンブリであって：
電気的損失層を含む略平坦なサセプタ；
前記サセプタに機械的に接合された少なくとも１枚の羽根であって、前記羽根の少なくとも一部分が導電性であり、前記羽根の前記導電性部分が既定の幅寸法および角を有し、前記導電性部分の前記角が前記幅寸法の半分以下の半径で丸められている羽根
を含み、
前記羽根の前記導電性部分が、前記平坦なサセプタの電気的損失層から少なくとも既定の近接距離において配設されており、
これにより、前記サセプタアセンブリが未装填の電子レンジにおいて用いられた場合の前記導電性部分の近くでのアーク放電の発生が防止される、
ことを特徴とするサセプタアセンブリ。
【請求項４】
物品を電子レンジ内で加熱する際に使用するためのサセプタアセンブリであって：
電気的損失層を含む略平坦なサセプタ；
前記サセプタに機械的に接合された少なくとも１枚の羽根であって、前記羽根の少なくとも一部分が導電性であり、前記導電性部分が非導電性材料で被覆されている羽根
を含み、
前記羽根の前記導電性部分が、前記平坦なサセプタの電気的損失層から少なくとも既定の近接距離において配設され、
これにより、前記サセプタアセンブリが未装填の電子レンジにおいて用いられた場合の前記導電性部分の近くでのアーク放電の発生が防止される、
ことを特徴とするサセプタアセンブリ。
【請求項５】
物品を電子レンジ内で加熱する際に使用するためのサセプタアセンブリであって：
電気的損失層を含む略平坦なサセプタ；
前記サセプタに機械的に接合された少なくとも１枚の羽根であって、前記羽根の少なくとも一部分が導電性であり、前記羽根の前記導電性部分が厚さ０．１ミリメートル未満の金属箔を含み、前記箔は折り重ねられて、その外周に沿って厚さが少なくとも２倍とされている羽根を含み、
前記羽根の前記導電性部分が、前記平坦なサセプタの電気的損失層から少なくとも既定の近接距離において配設されており、
これにより、前記サセプタアセンブリが未装填の電子レンジにおいて用いられた場合の前記導電性部分の近くでのアーク放電の発生が防止される、
ことを特徴とするサセプタアセンブリ。
【請求項６】
電子レンジにおいて使用するためのサセプタアセンブリであって、前記電子レンジが既定の波長を有する定常電磁波を発生するよう作動し：
幾何学的中心を有する略平坦なサセプタであって、電気的損失層を含む平坦なサセプタ；
前記サセプタに各々が機械的に接合された少なくとも６枚の羽根であって、各羽根が、前記平坦なサセプタに対して実質的に直交している羽根
を含み、
各羽根の少なくとも一部分が導電性であり、
前記羽根の前記導電性部分が既定の幅寸法および角を有し、前記導電性部分の前記角が前記幅寸法の半分以下の半径で丸められており、
前記羽根の前記導電性部分が、前記平坦なサセプタの電気的損失層から少なくとも既定の近接距離において配設されており、前記既定の近接距離が前記波長の少なくとも０．０２５倍であり、
これにより、前記サセプタアセンブリが未装填の電子レンジにおいて用いられた場合の前記導電性部分の近くでのアーク放電の発生が防止される、
ことを特徴とするサセプタアセンブリ。
【手続補正２】
【補正対象書類名】明細書
【補正対象項目名】０２４１
【補正方法】変更
【補正の内容】
【０２４１】
過熱の防止
稼動している電子レンジ中に２つの導電性部分を有する電界ダイレクタ構造が存在する場合、これらの導電性部分の間の空間に集中した電界が形成される。板紙の平坦な支持部材またはサセプタなどの適度な誘電損率を有する材料が、導電性部分の間の領域に、またはその近傍に置かれる場合、集中した電界がこの材料を急速に加熱する。この電界集中は、導電性部分間の離間空間による。この導電性部分が十分に近接している場合、この集中した電界は、材料を、板紙の場合のとおり、発火させるに十分に過熱し得る。導電性部分間の空間を広げることで、この電界集中が低減され、それ故、過熱が防止される。
次に、本発明の好ましい態様を示す。
１．物品を電子レンジ内で加熱する際に使用するためのサセプタアセンブリであって：
幾何学的中心を有する略平坦なサセプタであって、電気的損失層を含む平坦なサセプタ；および
前記サセプタに各々が機械的に接合された複数枚の羽根を有し、各羽根の少なくとも一部分が導電性であり、前記羽根の前記導電性部分が前記平坦なサセプタの電気的損失層から少なくとも既定の近接距離において配設されている電界ダイレクタ構造、
を含み、
各羽根の前記導電性部分が第１の端部および第２の端部を含み、前記羽根の各々の前記導電性部分の第１の端部が、前記平坦なサセプタの幾何学的中心から少なくとも既定の離間距離の距離において配設されており、
これにより、前記サセプタアセンブリが未装填の電子レンジ中で用いられた場合の、前記サセプタの過熱の発生および前記電界ダイレクタ構造の過熱の発生が防止される、サセプタアセンブリ。
２．前記電子レンジが既定の波長を有する定常電磁波を発生するよう作動し、前記既定の離間距離が前記波長の少なくとも０．１６倍である、上記１に記載のサセプタ。
３．前記電子レンジが既定の波長を有する定常電磁波を発生するよう作動し、前記既定の近接距離が前記波長の少なくとも０．０２５倍である、上記１に記載のサセプタ。
４．前記既定の離間距離が前記波長の少なくとも０．１６倍である、上記３に記載のサセプタ。
５．前記電子レンジが既定の波長を有する定常電磁波を発生するよう作動し、前記既定の近接距離が前記波長の０．１倍以下である、上記１に記載のサセプタ。
６．前記既定の離間距離が前記波長の少なくとも０．１６倍である、上記５に記載のサセプタ。
７．前記電子レンジが既定の波長を有する定常電磁波を発生するよう作動し、前記既定の近接距離が前記波長の０．０２５倍〜前記波長の０．１倍の範囲内にある、上記１に記載のサセプタ。
８．前記既定の離間距離が前記波長の少なくとも０．１６倍である、上記７に記載のサセプタ。
９．各羽根の前記導電性部分が、低導電性材料の縁取材によって囲まれている、上記１に記載のサセプタ。
１０．前記羽根の前記導電性部分が、既定の幅寸法および角を有し、前記導電性部分の角が前記幅寸法の半分以下の半径で丸められている、上記９に記載のサセプタ。
１１．前記電子レンジが既定の波長を有する定常電磁波を発生するよう作動し、前記縁取材が既定の幅寸法を有し、
前記縁取材の前記幅が前記波長の少なくとも０．０２５倍である、上記９に記載のサセプタ。
１２．前記電子レンジが既定の波長を有する定常電磁波を発生するよう作動し、前記縁取材が既定の幅寸法を有し、および
前記縁取材が既定の幅寸法を有し、低導電性材料の前記縁取材の前記幅が前記波長の０．１倍以下である、上記９に記載のサセプタ。
１３．前記電子レンジが既定の波長を有する定常電磁波を発生するよう作動し、前記縁取材が既定の幅寸法を有し、および
前記縁取材が既定の幅寸法を有し、低導電性材料の前記縁取材の前記幅が、前記波長の０．０２５倍〜前記波長の０．１倍の範囲内にある、上記９に記載のサセプタ。
１４．各羽根の前記導電性部分が非導電性材料で被覆されている、上記１に記載のサセプタ。
１５．前記非導電性被覆が、ポリイミドテープ、ポリアクリルスプレーコーティングおよびポリテトラフルオロエチレンスプレーコーティングからなる群から選択される、上記１４に記載のサセプタ。
１６．各羽根の前記導電性部分が厚さ０．１ミリメートル未満の金属箔を含み、前記箔が折り重ねられて、その外周に沿って厚さが少なくとも２倍とされている、上記１に記載のサセプタ。
１７．前記電子レンジが既定の波長を有する定常電磁波を発生するよう作動し、
各羽根の前記導電性部分が前記波長の約０．１〜約０．５倍の幅寸法を有する、上記１に記載のサセプタ。
１８．前記電子レンジが既定の波長を有する定常電磁波を発生するよう作動し、各羽根の前記導電性部分が前記波長の約０．２５〜約２倍の長さ寸法を有する、上記１に記載のサセプタ。
１９．前記羽根の前記導電性部分が既定の幅寸法および角を有し、前記導電性部分の前記角が前記幅寸法の半分以下の半径で丸められている、上記１に記載のサセプタ。
２０．電子レンジにおいて使用するためのサセプタアセンブリであって、前記電子レンジが既定の波長を有する定常電磁波を発生するよう作動し、前記サセプタアセンブリが：
幾何学的中心を有する略平坦なサセプタであって、電気的損失層を含む平坦なサセプタ；
前記サセプタに各々が機械的に接合された少なくとも６枚の羽根を有し、各羽根が、前記平坦なサセプタに対して実質的に直交している電界ダイレクタ構造、
を含み、
各羽根の少なくとも一部分が導電性であり、各羽根の前記導電性部分が第１の端部および第２の端部を有し、
前記羽根の各々の前記導電性部分の第１の端部が、前記平坦なサセプタの幾何学的中心から少なくとも既定の離間距離の距離において配設されており、
前記離間距離が、前記平坦なサセプタの幾何学的中心から前記波長の少なくとも０．１６倍であり、
前記羽根の前記導電性部分が、前記平坦なサセプタの電気的損失層から少なくとも既定の近接距離において配設されており、前記既定の近接距離が前記波長の少なくとも０．０２５倍であり、
これにより、未装填の電子レンジ中で用いられる場合の、前記サセプタの過熱の発生および前記電界ダイレクタ構造の過熱の発生が防止される、サセプタアセンブリ。
２１．物品を電子レンジ内で加熱する際に使用するためのサセプタアセンブリであって：
電気的損失層を含む略平坦なサセプタ；
前記サセプタに機械的に接合された少なくとも１枚の羽根であって、前記羽根の少なくとも一部分が導電性であり、前記羽根の前記導電性部分が既定の幅寸法および角を有し、前記導電性部分の前記角が前記幅寸法の半分以下の半径で丸められている羽根
を含み、
前記羽根の前記導電性部分が、前記平坦なサセプタの電気的損失層から少なくとも既定の近接距離において配設されており、
これにより、前記サセプタアセンブリが未装填の電子レンジにおいて用いられた場合の前記導電性部分の近くでのアーク放電の発生が防止される、サセプタアセンブリ。
２２．前記電子レンジが既定の波長を有する定常電磁波を発生するよう作動し、
前記既定の近接距離が前記波長の少なくとも０．０２５倍である、上記２１に記載のサセプタ。
２３．前記電子レンジが既定の波長を有する定常電磁波を発生するよう作動し、
前記既定の近接距離が前記波長の０．１倍以下である、上記２１に記載のサセプタ。
２４．前記電子レンジが既定の波長を有する定常電磁波を発生するよう作動し、
前記既定の近接距離が前記波長の０．０２５倍〜前記波長の０．１倍の範囲内にある、上記２１に記載のサセプタ。
２５．前記羽根の前記導電性部分が低導電性材料の前記縁取材によって囲まれている、上記２１に記載のサセプタ。
２６．前記電子レンジが既定の波長を有する定常電磁波を発生するよう作動し、前記縁取材が既定の幅寸法を有し、低導電性材料の前記縁取材の幅が、前記波長の０．０２５倍〜前記波長の０．１倍の範囲内にある、上記２５に記載のサセプタ。
２７．前記羽根の導電性部分が非導電性材料で被覆されている、上記２１に記載のサセプタ。
２８．前記非導電性被覆が、ポリイミドテープ、ポリアクリルスプレーコーティングおよびポリテトラフルオロエチレンスプレーコーティングからなる群から選択される、上記２７に記載のサセプタ。
２９．前記羽根の前記導電性部分が、厚さ０．１ミリメートル未満の金属箔を含み、前記箔が折り重ねられて、その外周に沿って厚さが少なくとも２倍とされている、上記２１に記載のサセプタ。
３０．前記電子レンジが既定の波長を有する定常電磁波を発生するよう作動し、前記羽根の前記導電性部分が前記波長の約０．１〜約０．５倍の幅寸法を有する、上記２１に記載のサセプタ。
３１．前記電子レンジが既定の波長を有する定常電磁波を発生するよう作動し、
各羽根の前記導電性部分が長さ寸法を有し、前記長さ寸法が、前記波長の約０．２５〜約２倍の範囲内である、上記２１に記載のサセプタ。
３２．物品を電子レンジ内で加熱する際に使用するためのサセプタアセンブリであって：
電気的損失層を含む略平坦なサセプタ；
前記サセプタに機械的に接合された少なくとも１枚の羽根であって、前記羽根の少なくとも一部分が導電性であり、前記導電性部分が非導電性材料で被覆されている羽根
を含み、
前記羽根の前記導電性部分が、前記平坦なサセプタの電気的損失層から少なくとも既定の近接距離において配設され、
これにより、前記サセプタアセンブリが未装填の電子レンジにおいて用いられた場合の前記導電性部分の近くでのアーク放電の発生が防止される、サセプタアセンブリ。
３３．前記電子レンジが既定の波長を有する定常電磁波を発生するよう作動し、
前記既定の近接距離が前記波長の少なくとも０．０２５倍である、上記３２に記載のサセプタアセンブリ。
３４．前記電子レンジが既定の波長を有する定常電磁波を発生するよう作動し、
前記既定の近接距離が前記波長の０．１倍以下である、上記３２に記載のサセプタアセンブリ。
３５．前記電子レンジが既定の波長を有する定常電磁波を発生するよう作動し、
前記既定の近接距離が、前記波長の０．０２５倍〜前記波長の０．１倍の範囲内にある、上記３２に記載のサセプタアセンブリ。
３６．前記羽根の前記導電性部分が低導電性材料の縁取材によって囲まれている、上記３２に記載のサセプタアセンブリ。
３７．前記電子レンジが既定の波長を有する定常電磁波を発生するよう作動し、前記縁取材が既定の幅寸法を有し、
低導電性材料の前記縁取材の前記幅が、前記波長の０．０２５倍〜前記波長の０．１倍の範囲内にある、上記３６に記載のサセプタアセンブリ。
３８．前記非導電性被覆が、ポリイミドテープ、ポリアクリルスプレーコーティングおよびポリテトラフルオロエチレンスプレーコーティングからなる群から選択される、上記３２に記載のサセプタアセンブリ。
３９．前記電子レンジが既定の波長を有する定常電磁波を発生するよう作動し、前記羽根の前記導電性部分が前記波長の約０．１〜約０．５倍の幅寸法を有する、上記３２に記載のサセプタアセンブリ。
４０．前記電子レンジが既定の波長を有する定常電磁波を発生するよう作動し、
各羽根の前記導電性部分が長さ寸法を有し、前記長さ寸法が、前記波長の約０．２５〜約２倍の範囲内である、上記３２に記載のサセプタアセンブリ。
４１．物品を電子レンジ内で加熱する際に使用するためのサセプタアセンブリであって：
電気的損失層を含む略平坦なサセプタ；
前記サセプタに機械的に接合された少なくとも１枚の羽根であって、前記羽根の少なくとも一部分が導電性であり、前記羽根の前記導電性部分が厚さ０．１ミリメートル未満の金属箔を含み、前記箔は折り重ねられて、その外周に沿って厚さが少なくとも２倍とされている羽根を含み、
前記羽根の前記導電性部分が、前記平坦なサセプタの電気的損失層から少なくとも既定の近接距離において配設されており、
これにより、前記サセプタアセンブリが未装填の電子レンジにおいて用いられた場合の前記導電性部分の近くでのアーク放電の発生が防止される、サセプタアセンブリ。
４２．前記電子レンジが既定の波長を有する定常電磁波を発生するよう作動し、
前記既定の近接距離が前記波長の少なくとも０．０２５倍である、上記４１に記載のサセプタアセンブリ。
４３．前記電子レンジが既定の波長を有する定常電磁波を発生するよう作動し、
前記既定の近接距離が前記波長の０．１倍以下である、上記４１に記載のサセプタアセンブリ。
４４．前記電子レンジが既定の波長を有する定常電磁波を発生するよう作動し、
前記既定の近接距離が、前記波長の０．０２５倍〜前記波長の０．１倍の範囲内にある、上記４１に記載のサセプタアセンブリ。
４５．各羽根の前記導電性部分が非導電性材料で被覆されている、請求４１に記載のサセプタアセンブリ。
４６．前記電子レンジが既定の波長を有する定常電磁波を発生するよう作動し、前記縁取材が既定の幅寸法を有し、
低導電性材料の前記縁取材の前記幅が前記波長の０．０２５倍から前記波長の０．１倍の範囲である、上記４５に記載のサセプタアセンブリ。
４７．前記導電性部分が非導電性被覆で被覆されている、上記４１に記載のサセプタアセンブリ。
４８．前記電子レンジが既定の波長を有する定常電磁波を発生するよう作動し、前記羽根の前記導電性部分が前記波長の約０．１〜約０．５倍の幅寸法を有する、上記４１に記載のサセプタアセンブリ。
４９．前記電子レンジが既定の波長を有する定常電磁波を発生するよう作動し、
各羽根の前記導電性部分が長さ寸法を有し、およびこの長さ寸法が前記波長の約０．２５〜約２倍の範囲である、上記４１に記載のサセプタアセンブリ。
５０．電子レンジにおいて使用するためのサセプタアセンブリであって、前記電子レンジが既定の波長を有する定常電磁波を発生するよう作動し：
幾何学的中心を有する略平坦なサセプタであって、電気的損失層を含む平坦なサセプタ；
前記サセプタに各々が機械的に接合された少なくとも６枚の羽根であって、各羽根が、前記平坦なサセプタに対して実質的に直交している羽根
を含み、
各羽根の少なくとも一部分が導電性であり、
前記羽根の前記導電性部分が既定の幅寸法および角を有し、前記導電性部分の前記角が前記幅寸法の半分以下の半径で丸められており、
前記羽根の前記導電性部分が、前記平坦なサセプタの電気的損失層から少なくとも既定の近接距離において配設されており、前記既定の近接距離が前記波長の少なくとも０．０２５倍であり、
これにより、前記サセプタアセンブリが未装填の電子レンジにおいて用いられた場合の前記導電性部分の近くでのアーク放電の発生が防止される、サセプタアセンブリ。